(57)【要約】  本発明は、対象物を照明する照明装置であって、この対象物に人の注目を引き寄せることを目的とする照明装置に関する。当該照明装置は、比較的速い動的な光出力成分と比較的遅い動的な光出力成分とを交互に提供し、前者は主に対象物に向かって人の注目を引き寄せる一方で、後者は主に前記対象物の視覚的な外観を向上するためのものであり、これにより人の注目を当該対象物に保持する。このために、当該照明装置は、第１の光出力成分及び第２の光出力成分を交互に有する一次光出力を提供するように配される。当該照明装置は、時間間隔の後、第１の光出力成分と第２の光出力成分との間で切り替わるためのスイッチングコントローラを有する。前記一次光出力は、１０％のマージン内の時間にわたって一定のままである知覚された光強度を有する。前記第１及び第２の光出力成分の各々は、光出力特性によって特徴づけられる。第１の光出力成分に関する光出力特性は第１の波形に従って時間を通じて変化し、第２の光出力成分のための光出力特性は第２の波形に従って時間を通じて変化する。第１及び第２の波形の各々は、時定数によって特徴づけられる。前記時定数は、第１の波形に関する第１の値及び第２の波形に関する第２の値を有し、前記第１の値は前記第２の値より低い。前記第１及び第２の光出力成分間で切り替わるための時間間隔は、０．１秒と３０秒との間にある。
2018505527.tif 000002
【特許請求の範囲】
【請求項１】
第１の光出力成分及び第２の光出力成分を交互に有する一次光出力を提供するための照明装置であって、
前記一次光出力は、１０％のマージン内の時間にわたって一定のままである知覚された光強度を有し、
前記第１の光出力成分及び前記第２の光出力成分の各々は前記一次光出力特性によって特徴づけられ、前記一次光出力特性は、前記第１の光出力成分に関する第１の波形に従って及び前記第２の光出力成分に関する第２の波形に従って時間にわたって変化し、
前記第１の波形及び前記第２の波形の各々は時定数によって特徴づけられ、前記時定数は、前記第１の波形に関する第１の値及び前記第２の波形に関する第２の値を有し、前記第１の値は前記第２の値より低く、
前記照明装置は、更に、０．１秒と３０秒との間である時間間隔の後、前記第１の光出力成分と前記第２の光出力成分との間の切り替えのためのスイッチングコントローラを有する、
照明装置。
【請求項２】
前記時定数の前記第１の値及び前記第２の値は、少なくとも２倍だけ異なる、請求項１に記載の照明装置。
【請求項３】
前記第１の光出力成分及び前記第２の光出力成分間で切り替わるための時間間隔は、０．５秒と１０秒との間にある、請求項１又は２に記載の照明装置。
【請求項４】
前記スイッチングコントローラは、前記第１の光出力成分及び前記第２の光出力成分のための一次光出力特性を変化させるように配される、請求項１乃至３の何れか一項に記載の照明装置。
【請求項５】
前記スイッチングコントローラは、中間の光出力成分を介して前記第１の光出力成分及び前記第２の光出力成分間で切り替わるように配される、請求項１乃至５の何れか一項に記載の照明装置。
【請求項６】
前記スイッチングコントローラは、前記一次光出力特性が、切替えの時点において両方の成分が同一であるように、前記切替えの時点において１つの光出力成分から次の光出力成分に切り替わるように配される、請求項１乃至５の何れか一項に記載の照明装置。
【請求項７】
前記スイッチングコントローラは、正弦波であるかシグモイド遷移曲線に従って少なくとも１００ミリ秒の遷移時間において前記第１の光出力成分及び前記第２の光出力成分のうちの一方から他方へ切り替わるように配される、請求項１乃至６の何れか一項に記載の照明装置。
【請求項８】
前記一次光出力特性は、演色評価数である、請求項１乃至７の何れか一項に記載の照明装置。
【請求項９】
前記第１の光出力成分及び前記第２の光出力成分は、１０のＳＤＣＭのマージン内の時間にわたって一定のままである色点を有する、請求項８に記載の照明装置。
【請求項１０】
前記スイッチングコントローラは、存在検出信号を受信するように配され、前記時定数の前記第１の値と、前記時定数の前記第２の値と、前記第１の光出力成分及び前記第２の光出力成分間で切り替わるための時間間隔との何れかが、前記存在検出信号に依存している、請求項１乃至９の何れか一項に記載の照明装置。
【請求項１１】
前記照明装置が小売環境における対象物を照明するためのものであり、前記スイッチングコントローラは、前記対象物にリンクされる広告媒体を表す制御信号を受信するように配され、前記時定数の前記第１の値と、前記時定数の前記第２の値と、前記第１の光出力成分及び前記第２の光出力成分間で切り替わるための時間間隔との何れかが、前記制御信号に依存している、請求項１乃至１０の何れか一項に記載の照明装置。
【請求項１２】
前記スイッチングコントローラは、音のトリガ信号又は触覚のトリガ信号を受け取るように配されており、前記時定数の前記第１の値と、前記時定数の前記第２の値と、前記第１の光出力成分及び前記第２の光出力成分間で切り替わるための時間間隔との何れかが、前記音のトリガ信号又は前記触覚のトリガ信号に依存している、請求項１乃至１１の何れか一項に記載の照明装置。
【請求項１３】
前記周囲光レベルに基づいて前記時定数の前記第１の値と前記時定数の前記第２の値と前記第１の光出力成分及び前記第２の光出力成分間で切り替わるための時間間隔との何れかを調整するコントローラに制御信号を供給する周囲光センサを更に有する、請求項１乃至１２の何れか一項に記載の照明装置。
【発明の詳細な説明】
【技術分野】
【０００１】
本発明は、対象物に注目を引き寄せる出すための目的を有する、当該対象物を照明する照明装置に関する。
【背景技術】
【０００２】
多くの日常的な状況において、物体に人の注目を引き寄せることは望ましく又は必須でさえあり得る。例えば、小売業者は、自身が販売している商品に可能性のある顧客の注目を引き寄せたい。更に、人々が交通に参加している際、彼らの注目は交通標識に引き寄せられるべきである。
【０００３】
照明は、例えば点滅及び／又はカラーチェンジ・イルミネーションの形態において、注目を引き寄せるように使用されることができ、このことは「動的な照明」又は「動的なイルミネーション」と集合的に称され得る。
【発明の概要】
【発明が解決しようとする課題】
【０００４】
国際出願公開第２００８／１３９３６４号に、衣類ラックに使用される光システムを開示している。このシステムは人の注目を引き寄せるための所謂「誘惑モード（flirting mode）」（動的な光）から所謂「サーブモード」（機能的に静的な光）に切替えられるように構成されている。「誘惑モード」において、光システムは、傾斜をつけられた又は鋸歯状の光出力の形態における脈動光を提供する。
【０００５】
動的な照明の他の実施例は、看者の注目を引き寄せる広告の場において使用される照明装置の形態において、ドイツ国出願第１０２００５０５９４９２号において開示されている。この照明装置は、ドライバ回路により制御される１つ以上のＬＥＤを備えており、そして、それは、間に短い中間期間を持つ幾つかの強い光パルスからなる第１のパルス系列であって、前記中間期間は、前記光パルスの期間に等しい、前記第１のパルス系列を提供するように配されている。一定の期間の後、第１のパルス系列と異なるパルス周波数を有する第２のパルス系列が、提供される。
【０００６】
本発明の目的は、冒頭段落による照明装置であって、より良く人々に関与するために動的な照明の魅力及び許容性を増大させる照明装置を提供することにある。
【課題を解決するための手段】
【０００７】
本発明者らは、一定の周波数における動的な（例えば、脈動する）光効果の単調な反復は、非常に急速な結果として、対象物の不安、不快感及び低減された魅力をもたらすことを発見した。
【０００８】
更に、本発明者らは、既知の光システムによって注目が引き寄せられると共に対象物に近づくことを促された人が、急速に注目しなくなり得る又は第一の段階で注目を引き寄せられた物を思い出すことさえできなくなり得ることがあることを認識した。例えば、国際出願公開第２００８／１３９３６４号の光システムは、人間の存在を検出することにより起動されて動的な光出力（即ち誘惑モード）から静的光出力（即ちサーブモード）へ切り替わる。つまり、誰かの注目が対象物のために引き寄せられた（人の検出により表される）後、当該システムは、誘惑からサーブモードに切り替わり、結果として注目の実際の引力となった効果（この効果とは動的な光出力である）を取り除く。
【０００９】
上述した洞察に基づいて、本発明の目的は、第１の光出力成分及び第２の光出力成分を交互に有している一次光出力を提供する照明装置により達成された。一次光出力は、１０％のマージン内で時間とともに一定のままである知覚される光強度を有する。第１及び第２の光出力成分の各々は、一次光出力特性によって特徴づけられる。第１の光出力成分に関する一次光出力特性は、第１の波形に従って時間とともに変化し、第２の光出力成分に関する一次光出力特性は、第２の波形に従って時間とともに変化する。前記第１及び第２の波形の各々は、時定数によって特徴づけられる。前記時定数は前記第１の波形に関する第１の値及び第２の波形に関する第２の値を有し、前記第１の値は前記第２の値よりも低い。当該照明装置は、更に、時間間隔の後、第１の光出力成分と第２の光出力成分との間で切り替えるためのスイッチングコントローラを有する。第１及び第２光出力成分間で切り替わるための時間間隔は０．１秒と３０秒との間にある。
【００１０】
動作中、本発明の照明装置は、（第１の光出力成分である）比較的速い動的な光出力成分及び（第２の光出力成分である）比較的遅い動的な光出力成分を交互に提供する一方で、前記一次光出力は、前記一次光出力の知覚される光強度が１０％のマージン内（例えば、５％のマージン内、２％のマージン内、又は１％のマージン内においてさえ）の時間にわたって一定のままであるので、オン／オフの点滅の振る舞いを示さない。
【００１１】
「知覚される光強度」なる語は、平均的な人間の観察者により知覚される光強度を称している。光強度が時間にわたって変化しない場合、又は光強度の如何なる変化も間欠的な光の刺激が平均的な人間の観察者に対して完全に安定しているように見える周波数（例えば１００Ｈｚの周波数）として規定されているフリッカー融合閾値よりも上方にある場合、知覚される光強度は、時間にわたって一定であるとみなされる。例えば、典型的には１ｋＨｚ以上の周波数において動作している従来技術において知られている光のパルス幅変調は、やはり時間にわたって一定である知覚された光強度を有するものと考えられている。
【００１２】
比較的速い動的な光出力成分は、主に対象物に向かって人の注目を引くためのものである一方で、比較的遅い動的な光出力成分は、主に対象物の視覚的な外観を向上させるためにあり、これにより人の注意を前記対象物に保持する。
【００１３】
２つの光出力成分の動的な反応は、同じ種類の一次光出力特性によって特徴づけられる。本発明の状況において、光出力特性とは、光出力を特徴づけるパラメータである。光出力特性の例は、色、演色評価数及びＲ９演色値である。この文脈において、「色」なる語は、ＣＩＥ１９７６（Ｌ＊ａ＊ｂ＊）色空間内の点を称しており、ここで、次元Ｌ*は明度に関し、明暗軸（lightness = darkness axis）に沿って人間の場合の色の主観的な輝度の知覚を反映しており、次元ａ＊及びｂ＊は色度に関している。「色」なる語の上述した定義は、光強度、色点、相関色温度、色相、多彩性、彩度及び飽和のような、特性をカバーしていることに留意されたい。
【００１４】
本発明の照明装置において、波形に従って第１及び第２の光出力成分の両方に関して時間依存している少なくとも１つの光出力特性（知覚される光強度ではない）があり、前記波形とは、パルス化されたた波、正弦波、シグモイド波（即ち振幅がＳ字上曲線に従って変化する波形）、三角波又は鋸歯状の波のような、如何なる形状を有していても良い。この特定の光出力特性を「一次光出力特性」と呼ぶ。
【００１５】
第１及び第２の光出力成分の波形の各々は、同じ種類の時定数によって特徴づけられることができる。本発明の状況において、時定数とは、光出力の時間依存性を特徴づけるパラメータである。時定数の例は、後続するパルス間の時間、半値パルス幅（the pulse width at half maximum）及び単位時間当たりの変化量である。
【００１６】
第１の光出力成分の一次光出力特性の時間依存性を特徴づけるために選択される時定数の種類は、第２の光出力成分の同じ光出力特性の一次光出力の時間依存性を特徴づけるのにも使用されなければならない。選択された種類の時定数は、第１の波形に関する第１の値及び第２の波形に関する第２の値を有し、前記第１の値は前記第２の値より低い。選ばれた時定数の第１及び第２の値は、少なくとも２倍だけ異なり得て、例えば、３乃至５倍又は１０倍だけ異なり得る。
【００１７】
第１の光出力成分に関して、時定数は、非常に短い第１の値を有することができるので、一次光出力特性の時間的な変化は、人間の直接的な視野において、ほとんど目立たない。例えば、第１の光出力成分は、３０Ｈｚと７０Ｈｚとの間（例えば４０Ｈｚと６０Ｈｚとの間）の周波数を有する光パルスを有することができる。当該周波数範囲において、人は、サブリミナル的にのみ変化している光出力に気づくことができるみであり、又は自身の周辺視野においてのみ気づくことができ、自身の直接的な視野においては気づかない。
【００１８】
第１及び第２の光出力成分間で切り替わる時間間隔は、０．１秒と３０秒との間（例えば０．５秒及び１０秒との間、又は１秒及び５秒との間）である。
【００１９】
本発明の照明装置において、スイッチングコントローラは、装置が第１及び第２の光出力成分間で切り替わるときを決定し、第１及び第２の光出力成分に関する一次光出力特性を変化させる付加的な機能を有することができる。
【００２０】
第１及び第２の光出力成分間での切り替えは、直接的にか又は中間の光出力成分を介してかの何れかにおいて生じることができる。このような任意の中間の光出力成分に関して、一次光出力特性は一定の時定数による時間依存性のものであっても良いが、時間の関数として変化しない光出力成分であっても良い。
【００２１】
第１及び第２の光出力成分間の実際の遷移は、瞬間的又は滑らかなものの何れであっても良い。後者に関して、典型的な移行曲線は、正弦波又はシグモイド（即ちＳ字型曲線を介する）であり得る。遷移期間は、例えば、少なくとも１００ミリ秒又は少なくとも２００ミリ秒であっても良い。
【００２２】
１つの光出力成分から次の光成分へ切り替わるときの滑らかな移行を保証するために、前記一次光出力特性は、切り替えの時点において両方の成分に対して同一であっても良い。
【００２３】
本発明者らは、時定数を劇的に変化させることが魅力を更に増大させる一方で、注目を高いままに保持し、不安及び不快感を防止する又は制限することを見出した。
【００２４】
第１及び第２の光出力成分は、各々、二次光出力特性によって更に特徴づけられることが可能である。例えば、一次光出力特性が演色評価数であり得る一方で、二次光出力特性が色点である。第１及び第２の光出力成分に関する演色評価数は、それぞれ、第１及び第２の波形に従って時間にわたって変化する一方で、色点は１０のＳＤＣＭのマージン内で、好ましくは５つのＳＤＣＭ内で、又は２つのＳＤＣＭ内で一定のままである。「ＳＤＣＭ」なる語は、色整合の標準的な偏差をいう。色度図内の或る色点と比較して、この特定の色点との等しい色の差を有する色点は楕円上に位置され、このような楕円のスケールは、複数のＳＤＣＭ内に表される。
【００２５】
本発明の照明装置は、対話型の照明装置であって、時間依存性は、例えば、人の存在により開始される。前記時間依存性は、前記対象物からの人の距離を測定する及び光効果の時間依存性を変化させるセンサにリンクされることもできる。例えば、人が対象物から一定の距離にいる場合、当該人の注目を引き寄せるために、第２のモードが使用されることができる一方で、当該人が前記対象物に近づいた場合に、魅力を増大させるために前記第１のモードに徐々に変化する。
【００２６】
本発明の照明装置は、広告に使用されることができる。それは、スーパーマーケット又は店のような、小売環境における製品を照明する棚光又はスポット光であり得る。ソフトドリンク及びアイスクリームへの注目を、このような製品を購入するように誘い込むために、増大させる冷蔵庫又は冷凍庫の一部であり得る。
【００２７】
本発明の照明装置は、製品又は製品パッケージを照明するために使用されることができるが、ステッカー、ラベル、ポスター、ポスター・ボックス及び掲示板のような、広告メディアを照明するのにも使用されることができる。
【００２８】
当該照明装置の時間依存性は、ＴＶ又は無線コマーシャルにおいて使用される典型的な音響効果又はメロディのような、他の広告メディアにリンクされることもできる。更に、オンライン広告も、この仕方において「製品広告に」リンクされることもできる。
【００２９】
当該照明装置の時間依存性は、音又は触覚のトリガ（例えば、人が、スマートフォンのような携帯型装置において聴く音楽のビート）のような他の多感覚のトリガにリンクされる又は同期されることもできる。また、携帯電話又はバーコード・スキャナのような、携帯用デバイスが、同期された仕方において同じビートで振動することができる。
【００３０】
当該照明装置は、周囲の照明条件を考慮に入れることによって更に改善されることができる。背景又は環境光のような、周囲光は、当該対象物の近くで対象物及び／又は他の対象を（部分的に）照明することができる。不快感と同様に可視性に関して知覚される閾値は、全体の光強度、主に周囲光の絶対的なレベルに依存するが、当該照明装置及び周囲光の出力間の比にも依存する。実施例において、照明装置は、光出力の時定数が当該周囲光に応じて全体的な効果を最適化するように調整するコントローラを有する。コントローラは、複数のプリセットから選択することによって手動で作動されることができ、又は当該照明装置は、（再びプレセットを介して）自動調整のためのコントローラに制御部信号を供給するための周囲光センサを有することもできる。
【００３１】
ここで、添付の図面を参照して本発明の例について詳細に説明する。
【図面の簡単な説明】
【００３２】
【図１】光出力成分の波形を特徴づけるのに使用されることができる時定数の幾つかの異なる実施例を示している。
【図２】それぞれ、本発明による照明装置の第１の実施例に関する第１の光出力成分の時間依存光出力、第２の光出力成分の時間依存光出力及び一次光出力の時間依存光出力を示している。
【図３】それぞれ、本発明による照明装置の第２の実施例に関する第１の光出力成分の時間依存光出力、第２の光出力成分の時間依存光出力及び一次光出力の時間依存光出力を示している。
【図４】それぞれ、本発明による照明装置の第３の実施例に関する第１の光出力成分の時間依存光出力、第２の光出力成分の時間依存光出力及び一次光出力の時間依存光出力を示している。
【図５】時間にわたって変化する一次光出力特性を持つ光出力成分の様々な例を示している。
【図６】本発明による照明装置の実施例において使用されるＬＥＤの２つの異なる複数のスペクトルの分布を示している。
【図７】図６に示したような２つの異なる複数のＬＥＤを有する照明装置の時間依存光出力を示している。
【図８】本発明による照明装置の実施例において使用される２つの異なる複数のＬＥＤのスペクトルの分布を示している。
【発明を実施するための形態】
【００３３】
これらの図は、模式的であり縮尺で描かれているわけではないことに留意されたい。
明確さ及び便宜さのために、これらの図の一部の相対的な寸法及び縮尺は、誇張され又は大きさが縮小されて示されている。
【００３４】
図１は、第１及び第２の光出力成分の波形を特徴づけるために各々使用されることができる時定数の幾つかの異なる実施例を示している。示されている実施例は、後続するパルス間の時間（Ｔａ）、半値パルス幅（the pulse width at half maximum）（Ｔｂ）及び単位時間当たりの変化量（［Ｃ３ ― Ｃ１］／Ｔｃ）である。
【００３５】
本発明による照明装置の実施例に関して、図２は、第１の光出力成分（図２（ａ）を参照）、第２の光出力成分（図２（ｂ）を参照）及び一次光出力（図２（ｃ）を参照）の時間依存光出力を示している。
【００３６】
この実施例において、一次光出力特性は演色評価数であり、第１の波形２１１による第１の光出力成分に関して及び第２の波形２１２による第２の光出力成分に関して時間にわたって変化する。第１の波形２１１及び第２の波形２１２は、共に、一連のパルスからなるパルス化された波であり、各パルスは、同じ期間を有する。
【００３７】
図２の実施例において、２つの波形を特徴づけるために選択される時定数は、２つの後続するパルス間の時間である。第１の波形２１１に関して、この時定数は第１の値ＴＣ―１（これは１秒に等しい）を有し、第２の波形２１２に関して時定数は第２の値ＴＣ―２（これは２秒に等しい）を有する。つまり、前記時定数の第１の値は、前記時定数の第２の値よりも小さい。
【００３８】
波形２１０によって特徴づけられる一次光出力は、第１及び第２の光出力成分間で直接的に切り替えることによって得られる。第１の光出力成分は、時間間隔ＴＩ―１（３秒に等しい）にわたって維持され、第２の光出力成分は、時間間隔ＴＩ―２（６秒に等しい）にわたって維持されている。つまり、第１の光出力成分から第２の光出力成分へ切り替える時間間隔は３秒である一方で、第２の光出力成分から第１の光出力成分へ切り替えるための時間間隔は６秒（両方とも０．１秒乃至３０秒の範囲にある）である。
【００３９】
図２に示されている波形は、異なる演色評価数の一連のバーストを表しているパルス化された波である。明らかに、一次光の出力特性の例としての演色評価数の代わりに、他の一次光出力特性が選択されることもできる。
【００４０】
本発明による照明装置の他の実施例に関して、図３は、第１の光出力成分（図３（ａ）を参照）、第２の光出力成分（図３（ｂ）を参照）及び一次光出力（図３（ｃ）を参照）の時間依存光出力を示す。
【００４１】
再び、一次光出力特性は演色評価数であり、第１の波形３１１による第１の光出力成分に関して及び第２の波形３１２による第２の光出力成分に関して時間にわたって変化する。この場合、第１の波形３１１及び第２の波形３１２は、両方とも三角波である。
【００４２】
図３の実施例において、２つの波形の各々を特徴づけるために選択される時定数は、最も低い及び最も高い強度値間の時間である。第１の波形３１１に関して、この時定数は第１の値ＴＣ―１（０．５秒に等しい）を有し、第２の波形３１２に関して、時定数は第２の値ＴＣ―２（２秒に等しい）を有する。つまり、時定数の第１の値は、時定数の第２の値より低い。
【００４３】
波形３１０によって特徴づけられる一次光出力は、第１及び第２の光出力成分間で直接的に切り替わることによって得られる。第１の光出力成分は時間間隔ＴＩ―１（０．５秒に等しい）にわたって維持され、第２の光出力成分は時間間隔ＴＩ―２（この例においては３秒に等しい）にわたって維持される。つまり、第１の光出力成分から第２の光出力成分へ切り替えるための時間間隔は０．５秒であり、第２の光出力成分から第１の光出力成分へ切り替えるための時間間隔は３秒であり、何れも０．１秒乃至３０秒の範囲内にある。
【００４４】
図２及び３と同様に、図４は、本発明による照明装置の更に他の実施例に関して、第１の光出力成分（図４（ａ）の波形４１１）、第２の光出力成分（図４（ｂ）の波形４１２）及び一次光出力（図４（ｃ）の波形４１０）の時間依存光出力を示している。
【００４５】
この実施例において、第１及び第２の光出力成分は、正弦波によるベースライン値Ｂに対して強度において演色評価数が変化し、両方の光出力成分に関して、演色評価数の変化は、等しい長さ（２秒）の期間Ｐ内で発生している。
【００４６】
図４の実施例において、２つの波形を特徴づけるために選択される時定数は、正弦波形の波長である。第１の光出力成分に関して時定数は図４（ａ）のＴＣ―１により示されており、第２の光出力成分に関して時定数は図４（ｂ）のＴＣ―２により示されている。明らかに、時定数（ＴＣ―１）の第１の値は、時定数（ＴＣ―２）の第２の値よりも低い。
【００４７】
波形４１０によって特徴づけられる一次光出力は、第１及び第２の光出力成分間で直接的に切り替えることによって得られ、各光出力成分は同じ時間間隔ＴＩ（この例において、４秒に等しい）において維持される。
【００４８】
図４（ａ）及び４（ｂ）は、一定の期間においてベースライン強度値Ｂに対して演色評価数が変化する光出力成分の２つの実施例を示している。一定の期間において基本的な強度値Ｂに対して強度が変化する光出力成分の更なる実施例は、図５（ａ）〜５（ｃ）に示される。
【００４９】
図６は、本発明による照明装置の更なる実施例に関する。この実施例の照明装置は、第１の複数の蛍光体変換された白色ＬＥＤを有する（例えばＬｕｘｅｏｎ（登録商標）３０１４装置、ＣＲＩ８０）と、第２の複数のＲＧＢ白色ＬＥＤ（例えばＬｕｘｅｏｎ（登録商標）３０３０装置）とを有する。第１の複数の蛍光体変換された白色ＬＥＤは、スペクトルの分布６１０によって特徴づけられる光を発するように配されており、第２の複数のＲＧＢ白色ＬＥＤはスペクトルの分布６２０によって特徴づけられる光を発するように配されている。スペクトルの分布６１０及び６２０の両方は、約３，０００Ｋの相関色温度と実質的に同じ演色評価数とを有する白色光に対応している。しかしながら、スペクトルの分布６１０と比較して、スペクトルの分布６２０は、スペクトルの緑色部分（約５００ｎｍと６００ｎｍの間）において及び特にスペクトルの赤色部分（約６００ｎｍと７００ｎｍとの間）において、より強い。
【００５０】
動作中、この実施例の照明装置は、それぞれ、第１及び第２の光出力成分６１０と６２０間で切り替わる。つまり、当該照明装置は、実質的に同じ演色評価数及び相関色温度を有する２つの光出力間で切り替わるが、特にスペクトルの赤色部分において異なるスペクトル出力を有する。勿論、一次光出力は、全体としてやはり、平均的な人間の観察者が如何なるオン／オフの点滅の振る舞いも経験しないように、１０％のマージン内の時間にわたって一定のままである知覚される光強度を有する。図７（ａ）は、照明装置が、これらの２つの光出力間でどのように切り替わることができるかを示しており、７１０は第１の複数の蛍光体変換された白色ＬＥＤの光出力を示しており、７２０は第２の複数のＲＧＢ白色ＬＥＤの光出力を示している。図７（ｂ）は、赤色光強度の対応する時間依存変化を示している。この図において、０．５秒後に、当該照明装置は、第１の複数の蛍光体変換された白色ＬＥＤの光出力から第２の複数のＲＧＢ白色ＬＥＤの光出力に完全に切り替わっており、発される赤色光の強度は約３倍に増大している。次の０．５秒において、当該照明装置は第１の複数の蛍光体変換された白色ＬＥＤの光出力へ切り替わり、これに応じて発される赤色光の強度は減少する。
【００５１】
この実施例において、一次光出力特性は、発される赤色光の強度であり、図７（ｂ）は、当該照明装置の第１の光出力成分のための第１の波形を示していることに留意されたい。当該照明装置の第２の光出力成分に関する第２の波形は、図７においては別個に示されていないが、ただ長い時定数による第１の波形と類似の過程を有する。当該波形は、「上方遷移（transition up）」部（図７（ｂ）の７３０）、「上方持続（hold up）」部（図７（ｂ）の７４０）、「下方遷移（transition down）」部（図７（ｂ）の７５０）及び「下方持続（hold down）」部（図７（ｂ）の７６０）を有する。この実施例において、保持部分は同じであり、遷移部７３０及び７５０は対称的なシグモイド遷移である。他の実施例において、これは、持続及び／又は遷移部が異なる特性を有するように異なっていても良い。
【００５２】
図７（ｃ）は、照明装置の一次光出力を示しており、２秒毎に、当該照明装置は、前記第１の光出力成分から前記第２の光出力成分へ切り替わり、及び前記第２の光出力成分から前記第１の光出力成分へ切り替わる。
【００５３】
図７（ｄ）は、少なくとも第１の波形が異なる保持及び遷移部を有する他の一次光出力を示している。使用される時間的な尺度に依存して、図７（ｄ）の一次光出力は、人の鼓動のシミュレーションと考えられることが可能である。
【００５４】
図６及び図７を参照して記載されているものと類似の照明装置において、２つの複数のＬＥＤは、両方とも蛍光体変換されたＬＥＤであるが、異なる相関色温度を有する。これは、図８（ａ）に示されており、第１の複数の蛍光体変換された白色ＬＥＤはスペクトルの分布８１０によって特徴づけられる光を発するように配されており、第２の複数の蛍光体変換された白色ＬＥＤはスペクトルの分布８２０によって特徴づけられる光を発するように配されている。スペクトルの分布８１０及び８２０は、それぞれ、約５，６００Ｋ及び約３，０００Ｋの相関色温度を有する白色光に対応する。本実施例において、一次光出力特性は相関色温度である。
【００５５】
動作中、この照明装置は、それぞれ、第１及び第２の光出力成分８１０と８２０間で切り替わる。つまり、当該照明装置は、異なる相関色温度を有する２つの光出力間で切り替わる。スペクトルの分布８１０及び８２０を比較する場合、スペクトルの分布８１０乃至スペクトルの分布８２０へ切り替わるとき、色の向上が緑、黄、オレンジ及び赤色（約５２０ｎｍ以上の波長に対応する）に関して得られ、青色の飽和が低減され、結果として、色のコントラストの向上をもたらすことは明らかである。
【００５６】
図６及び７を参照して記載されているものとして更に他の照明装置において、２つの前記複数のＬＥＤは、同じ相関色温度の白色光を発するように両方とも配される一方で、前記複数のＬＥＤの複数のうちの一方が約４００ｎｍと４２０ｎｍとの間のスペクトルの範囲において、より強い発光を有するように、選択される。このことは、図８（ｂ）に示されており、スペクトルの分布８４０は、スペクトルの分布８３０と比較して、約４００ｎｍと４２０ｎｍとの間のスペクトルの範囲において、より強い成分を有する。この実施例において、一次光出力特性は、約４００ｎｍと４２５ｎｍとの間のスペクトルの範囲の光強度である。
【００５７】
スペクトルの分布８３０からスペクトルの分布８４０へ切り替わる際、照明される白色表面は、特にこの表面が、例えば衣類又は何らかの他の織物の一部のような、漂白剤を含んでいる材料の一部である場合、よりパリッとしたように見え、前記照明される表面の様々な有色の部分による色コントラストを向上させる。
【００５８】
本発明は、添付図面及び上述の記載において詳細に説明及び記載されたが、このような図例及び説明は、説明的なもの又は例示的なものとみなされるべきであり、限定的なものとみなされるべきではなく、本発明は、開示されている実施例に限定されるものではない。添付図面、開示及び添付の請求の範囲の研究から、開示された実施例に対する変化は、特許請求項の範囲に発明を実施する際の当業者により理解され達成されることができる。前記請求項において、「有する」なる語は他の要素を除外するものではなく、単数形の構成要素は、複数の構成要素を除外するものではない。特定の手段が、相互に異なる従属請求項において引用されているという単なる事実は、これらの手段の組み合わせが有利になるように使用されることができないと示すものではない。添付請求項における如何なる符号も、この範囲を制限するものとしてみなしてはならない。
【図１】
2018505527.tif 000003
【図２】
2018505527.tif 000004
【図３】
2018505527.tif 000005
【図４】
2018505527.tif 000006
【図５】
2018505527.tif 000007
【図６】
2018505527.tif 000008
【図７】
2018505527.tif 000009
【図８】
2018505527.tif 000010
【国際調査報告】
2018505527.tif 000011
2018505527.tif 000012
2018505527.tif 000013